(57)【要約】男性用コンドーム（１０）は、開口端（１２）、閉鎖端（１４）、およびそれらの間で長手方向に延びる管状体（１６）を有する。前記男性用コンドームはまた、性交中に性器を刺激するための１つ以上の襞（２８）を形成することができる少なくとも１つの湾曲部位（２０）も含む。すなわち、男性用コンドーム（１０）は、開口端と、閉鎖端と、開口端と閉鎖端との間で長手方向に延びて房部を画定する管状体とを備え、管状体は内面および外面のある壁を有し、管状体は少なくとも１つの湾曲部位を有して壁の長側部および短側部を画定し、前記管状体は、陰茎を前記房部に挿入すると性交中に性器を刺激する１つ以上の襞を、前記壁の前記長側部に沿って形成することができる。
2008539906.tif 000002
【特許請求の範囲】
【請求項１】
開口端と、閉鎖端と、前記開口端と前記閉鎖端との間で長手方向に延びて房部を画定する管状体とを備え、前記管状体は内面および外面のある壁を有し、前記管状体は少なくとも１つの湾曲部位を有して前記壁の長側部および短側部を画定し、前記管状体は、陰茎を前記房部に挿入すると性交中に性器を刺激する１つ以上の襞を、前記壁の前記長側部に沿って形成することができる、男性用コンドーム。
【請求項２】
前記湾曲部位は前記開口端から前記閉鎖端へと延びる、請求項１に記載のコンドーム。
【請求項３】
前記管状体は複数の湾曲部位を有して性交中に拡張した弾力性を提供する、請求項１に記載のコンドーム。
【請求項４】
前記管状体の前記外側は潤滑されて前記１つ以上の襞の摺動を容易にする、請求項１に記載のコンドーム。
【請求項５】
前記管状体の前記内側は潤滑されて前記１つ以上の襞の摺動を容易にする、請求項１に記載のコンドーム。
【請求項６】
第一開口端と、第一閉鎖端と、前記第一開口端と前記第一閉鎖端との間で長手方向に延びて第一房部を画定する第一管状体とを有する第一ポーチであって、前記第一管状体は第一内面および第一外面のある第一壁を有する、第一ポーチと、
前記第一管状体の前記第一壁内に形成された第二開口端と、第二閉鎖端と、前記第二開口端と前記第二閉鎖端との間で長手方向に延びて刺激装置を受けるための第二房部を画定する第二管状体とを有する第二ポーチとを備え、
前記第二管状体は第二内面および第二外面のある第二壁を有し、
前記第二ポーチは前記第一房部内へ内側へ向かって延び、
前記刺激装置は、陰茎を前記第一房部に挿入すると前記陰茎を刺激することができる、男性用コンドーム。
【請求項７】
第一開口端と、第一閉鎖端と、前記第一開口端と前記第一閉鎖端との間で長手方向に延びて第一房部を画定する第一管状体とを有する第一ポーチであって、前記第一管状体は第一内面および第一外面のある第一壁を有する、第一ポーチと、
形成される第二開口端と、第二閉鎖端と、前記第二開口端と前記第二閉鎖端との間で長手方向に延びて刺激装置を受けるための第二房部を画定する第二管状体とを有する第二ポーチとを備え、
前記第二管状体は第二内面および第二外面のある第二壁を有し、
前記第二ポーチは前記第一壁に沿って前記第一房部と平行に延び、
前記刺激装置は、陰茎を前記第一房部に挿入すると前記陰茎を刺激することができる、男性用コンドーム。
【請求項８】
前記刺激装置および前記コンドームは、使用者が性交用の長さまで前記陰茎のまわりに前記コンドームを広げることができるように巻かれており、
前記第二開口端は、前記コンドームが前記長さまで広げられる際に、巻かれている、請求項７に記載のコンドーム。
【請求項９】
前記第二房部は前記第一管状体の周りで非円形である、請求項７に記載のコンドーム。
【発明の詳細な説明】
【技術分野】
【０００１】
本出願は、２００５年５月６日に出願された米国仮特許出願第６０／６７８、８２４号の利益と、２００５年５月６日に出願された米国仮特許出願第６０／６７８，８２５号の利益と、２００５年７月２１日に出願された米国仮特許出願第６０／７００、８５３の利益とを請求し、これらの各々は、参照によりその全体が本明細書に援用される。
【０００２】
本発明は、概して予防的装置に関し、さらにとりわけ、男性用コンドームに関する。
【背景技術】
【０００３】
後天性免疫不全症候群（ＡＩＤＳ）を含む性感染症（ＳＴＤ）の蔓延に伴い、性交中の体液の交換およびその結果として起こるＳＴＤの伝染を防ぐ効果的な手段の必要性が増加している。この目標を達成するための１つの方法は、性交中に男性器と女性器との間に効果的な障壁を導入することによる。多種多様の男性用コンドームまたは予防的装置は、そのような障壁を作り出すことが知られている。しかしながら、現在入手可能な男性用コンドームは、性交中に各パートナーによって得られる快楽を高めず、通常はむしろ弱める。
【０００４】
それに応じて、性交中に少なくとも一方のパートナーの性器に刺激を提供する男性用コンドームを提供できることは有利であろう。
【発明の開示】
【課題を解決するための手段】
【０００５】
性交中に少なくとも一方のパートナーの性器に刺激を提供する男性用コンドームを提供することが、本発明の目的である。
【０００６】
本発明に従って、開口端と、閉鎖端と、前記開口端と前記閉鎖端との間で長手方向に延びて房部を画定する管状体とを含む男性用コンドームが提供される。前記管状体は内面および外面のある壁を有する。前記管状体は、少なくとも１つの湾曲部位を有して前記壁の長側部および短側部を画定する。前記管状体は、陰茎を前記房部に挿入すると性交中に性器を刺激するための１つ以上の襞を前記壁の前記長側部に沿って形成ことができる。  
【発明を実施するための最良の形態】
【０００７】
前記本発明および本発明のその他の利点は、添付の図面ととともに下記の詳細な説明を考慮することにより明らかとなり、類似の参照文字は全体にわたって類似の部分を参照する。
【０００８】
本発明は、開口端と、閉鎖端と、前記開口端と前記閉鎖端との間で長手方向に延びて房部を定義する管状体とを有する男性用コンドームを提供する。前記管状体は内面および外面のある壁を有する。前記管状体は少なくとも１つの湾曲部位を有して前記壁の長側部および短側部を画定する。前記管状体は、陰茎を前記房部に挿入すると性交中に性器を刺激する１つ以上の襞を前記壁の前記長側部に沿って形成することができる。
【０００９】
本発明を、図１〜３８を参照して説明する。
【００１０】
図１は、開口端１２と、閉鎖端１４と、前記開口端１２と前記閉鎖端１４との間で長手方向に延びて房部１３を画定する管状体１６とを有する男性用コンドーム１０を図示する。管状体１６は内面１７および外面１９のある薄膜壁１８を有し、例えば、天然ゴム（ラテックスなど）、合成ゴム（シリコーンゴムまたはネオプレンなど）、ポリウレタン、およびその他の弾力のある物質（熱可塑性ポリオレフィンエラストマーなど）などのあらゆる適切な弾力のある不透過性膜材料から好ましくは形成される。
【００１１】
特定の実施例によれば、前記コンドームは好ましくは、前記管状体がその開口端とその閉鎖端との間で長手方向に延びる場合に前記管状体の少なくとも一部に沿う湾曲部位を備える。例えば、図１および２に示されるように、コンドーム１０は好ましくは、開口端１２と閉鎖端１４との間の管状体１６の全長に沿った湾曲部位２０を備える。湾曲部位２０は、近位端２１（つまり本特定実施例によれば開口端１２における）と、遠位端２３（つまり本特定実施例によれば閉鎖端１４における）と、湾曲角２２とを有することによって、例えば図３および４に示されるように、陰茎３０が矢印１１の方向に開口端１２を通って房部１３に挿入されると、壁１８の長側部２４に沿って１つ以上の襞２８が形成されるように、壁１８の長側部２４および短側部２６を画定する。
【００１２】
継続的に図１および２を参照して、閉鎖端１４は好ましくは、陰茎の先端の形状に合うようドーム形である（図３の陰茎３０の陰茎亀頭３１などを参照）。閉鎖端１４もまた好ましくは、射精後に精液を回収するための貯蔵先端または突出部１５を備える。図３および４に示されるように、陰茎３０の長さ、長側部２４、および短側部２６との間の関係は、陰茎３０を房部１３に挿入すると、壁１８の短側部２６が好ましくは引っ張られる一方で、前記壁の側部の長さの不平等により、襞２８が小側部２６の壁の反対側にある壁１８の長側部２４に沿って形成されるようなものである。
【００１３】
特定の実施例において、短側部２６の強靱性は好ましくは、閉鎖端１４および／または突出部１５の少なくとも一部が、覆いかつ陰茎亀頭３１の一部と間隔をあけた関係にある点においてコンドーム１０の一方の側でポケット２７を形成するように、図３および４に示されるように閉鎖端１４の少なくとも一部を、短側部２６に隣接する陰茎亀頭３１の側に向かって引き寄せる。ポケット２７の結果として、コンドーム１０は、陰茎亀頭の感度を鈍化するよう陰茎亀頭３１を縛り付けず、これはコンドームの使用の受容性を低下させない。その代わり、図５のその拡大部分断面図で示されるように、短側部２６の強靱性により、ポケット２７を形成する閉鎖端１４および／または突出部１５の前記一部が性交中に前後に動くことができる。前後運動は、性交中にコンドーム１０の男性使用者へ増強された感覚を提供するように陰茎亀頭３１を刺激する。ポケット２７もまた、その一方の側だけでなく陰茎の前記閉鎖端の全周囲で均一な球形状として形成することができる。
【００１４】
いったん陰茎３０がコンドーム１０によって適切に包まれると、性交中に膣へ安全に挿入することができる。図６は、恥骨３、陰核４、尿道５、グレフェンベルクスポット（Ｇスポット）６、および膣８の相対的位置を示す、女性の骨盤領域２の断面図を図示する。性交を開始するために、陰茎３は矢印７の方向に膣８内へと内側に向かって突入する。
【００１５】
図７に示されるように、陰茎３０が矢印７の方向に膣８の管内へとさらに突き入れられると、特定の襞２８は、膣８外部および周辺の女性の解剖学的構造と接触し、湾曲部位２０の近位端２１と女性の解剖学的構造との間の長側部２４の長さに沿ってしわを寄せる傾向がある。陰茎３０の膣８内へのより深い貫通により、湾曲部位２０の近位端２１と膣８の開口部との間の距離３３が徐々に減少すると、前記襞２８の少なくともいくつかが最終的に膣８の外側から膣管内へと通過しなければならないように、近位端２１と膣８の開口部との間で襞２８によって作り出される圧力が徐々に増加する。好ましくは、コンドーム１０の襞２８は、例えば図６〜９に示されるように陰核４と近接するように、女性の骨盤領域２に対して陰茎３０の先端部に沿って方向付けられる。女性の骨盤領域２に対するコンドーム１０のこの好ましい配向性において、襞２８によって作り出される圧力は、陰茎３０の膣８内への挿入中に陰核４を直接刺激する。
【００１６】
図８に示されるように、いったん圧力が解放されて以前にしわを寄せられた襞２８のいくつかが膣８外から膣管内へと通過すると、例えばあらゆる存在している潤滑、前記コンドーム上の膣壁の圧力、および前記コンドーム自体の弾力性により、それらは長側部２４の長さに沿って再び広がる。湾曲部位２０の長さに沿った襞２８のこの動きおよび分散は、陰茎３０だけでなく膣８の内壁および好ましくはＧスポット６にも刺激を提供する。
【００１７】
図９に示されるように、陰茎３０が矢印９の方向における外向きの突きによって膣８から少なくとも部分的に引き出されると、特定の襞２８は、膣８内部および周辺の女性の解剖学的構造と接触し、湾曲部位２０の遠位端２３と女性の解剖学的構造との間の長側部２４の長さに沿ってしわを寄せる傾向がある。膣８から陰茎３０のさらなる引き出しにより、湾曲部位２０の遠位端２３と膣８の開口部との間の距離３５が徐々に減少すると、前記襞２８の少なくともいくつかが最終的に膣管内から膣８の外側へと通過しなければならないように、遠位端２３と膣８の開口部との間で襞２８によって作り出される圧力が徐々に増加する。再度、好ましくは、陰核４と近接するように、かつ膣８内への陰茎３０の各内側への動きだけでなく、膣８から陰茎３０の各外側への動きの最中にも、襞２８によって作り出される圧力が陰茎および膣８の内壁を刺激するだけでなく陰核４も直接刺激するように、コンドーム１０の襞２８は女性の骨盤領域２に対して陰茎３０の先端部に沿って方向付けられる。
【００１８】
潤滑は好ましくは、陰茎３０の外面に対する襞２８および／または２７の内外の長さ方向の摩擦作用を促進し、性交中に男性使用者の刺激を高めるためにその流体力学的流動を引き起こすよう管状体部１６の内部１７に提供することができる。この目的のためにあらゆる適切な潤滑を使用することができるが、潤滑の種類は好ましくは、管状体１６を形成するために使用される材料によって異なる。例えば、シリコン油潤滑剤がラテックス製の管状体と併せて好ましい場合もあり、また一方、鉱化油が可塑性管状体での使用に対して好ましい潤滑となる場合がある。潤滑は好ましくは、膣８内への陰茎３０の快適な貫通を提供し、性交中に女性使用者の刺激を高めるために、膣８の内壁に対する襞２８の内外の長さ方向の摩擦作用を促進するよう管状体１６の外部１９に提供することもできる。
【００１９】
緩みに起因する感度の増加、摩擦、および前述したポケット２７および／または襞２８の流体力学的作用は全て組み合わさり、約０．０３ミリメートルの壁厚みを有する極薄コンドームにおいて得られる以上の感度を維持しながら、コンドーム１０の壁１８の厚みを約０．０５〜０．１５ミリメートルの厚みまで増加させることができる。より大きい壁厚みを使用する能力は破裂または破れに対する改良強度を提供し、これは生命にかかわる病気からの使用者の保護において重要である。
【００２０】
湾曲部位２０は、開口端１２と閉鎖端１４との間で管状体１６の全長に沿って長手方向に延びるよう図１〜９に関して上述されているが、本発明のその他の実施例によれば、前記男性用コンドームの前記湾曲部位は、ほかの直線管状体の１つ以上の部分に沿って延びるのみでもよい。例えば、図１０〜１３に示されるように、コンドーム１００は、直線部１４０および１５０間で管状体１１６に沿った湾曲部位１２０を備える。湾曲部位１２０は湾曲角１２２を有することによって、図１２および１３に示されるように、陰茎１３０が矢印１１１の方向に開口端１１２を通って房部１１３に挿入されると、壁１１８の長側部１２４に沿って１つ以上の襞１２８が形成されるように、壁１１８の長側部１２４および短側部１２６を画定する。
【００２１】
本発明のさらにもう１つの実施例において、前記管状体に沿った単一の湾曲部位のみを有する代わりに（コンドーム１００の湾曲部位１２０などを参照）、前記コンドームは、陰茎がその中に挿入されると前記管状体の種々の部分に沿って襞を作り出す複数の湾曲部位を有することができる。例えば、図１４〜１７に示されるように、コンドーム２００は、開口端２１２と直線部２４０との間で管状体２１６に沿った第一湾曲部位２２０、および直線部２４０と閉鎖端２１４との間で管状体２１６に沿った第二湾曲部位２６０を備える。図１６および１７に示されるように、陰茎２３０が矢印２１１の方向に開口端２１２を通って房部２１３に挿入されると、壁２１８の長側部２２４に沿って１つ以上の襞２２８が形成され、かつ壁２１８の長側部２６４に沿って１つ以上の襞２６８が形成されるように、第一湾曲部位２２０は湾曲角２２２を有することによって、壁２１８の第一長側部２２４および第一短側部２２６を画定し、第二湾曲部位２６０は湾曲角２６２を有することによって、壁２１８の第二長側部２６４および第二短側部２６６を画定する。
【００２２】
本発明のさらにもう１つの実施例において、前記管状体の実質的に同じ側にそれぞれの長側部およびそれぞれの襞を提供する複数の湾曲部位を有する代わりに（コンドーム２００の湾曲部位２２０および２６０などを参照）、前記コンドームは、その中に陰茎を挿入すると前記管状体の反対側に襞を作り出す湾曲部位を有することができる。例えば、図１８〜２１に示されるように、コンドーム３００は、開口端３１２と点３３１との間で管状体３１６に沿った第一湾曲部位３２０、および点３３１と閉鎖端３１４との間で管状体３１６に沿った第二湾曲部位３６０を備える。図２０および２１に示されるように、陰茎３３０が矢印３１１の方向に開口端３１２を通って房部３１３に挿入されると、壁３１８の第一側３１１上の長側部３２４に沿って１つ以上の襞３２８が形成され、かつ壁３１８の第二側３１３上の長側部３６４に沿って１つ以上の襞３６８が形成されるように、第一湾曲部位３２０は湾曲角３２２を有することによって、壁３１８の第一側３１１上の第一長側部３２４、および壁３１８の第二側３１３上の第一短側部３２６を画定し、第二湾曲部位３６０は湾曲角３６２を有することによって、壁３１８の第二側３１３上の第二長側部３６４、および壁３１８の第一側３１１上の第二短側部３６６を画定する。
【００２３】
本発明のさらにもう１つの実施例において、前記管状体の実質的に反対側に、前記コンドームの縦軸と垂直なジグザグ構造をもってそれぞれの長側部およびそれぞれの襞を提供する複数の湾曲部位を有する代わりに（コンドーム３００の湾曲部位３２０および３６０などを参照）、前記コンドームはいずれも前記管状体に沿い、かつその周囲に設置される複数の湾曲部位を有することができる。例えば、図２２〜２７に示されるように、コンドーム４００は、それぞれの長側部およびそれぞれの襞が組み合わさって、例えば開口端４１２から閉鎖端４１４へと、コンドーム全体の周囲にあり、かつそれに沿った連続ねじれ４９５を作り出すように、複数の湾曲部位を備えることができる。
【００２４】
コンドーム４００は、開口端４１２と第一点４３１との間で管状体４１６に沿った第一湾曲部位４２０、第一点４３１と第二点４３２との間で管状体４１６に沿った第二湾曲部位４６０、第二点４３２と第三点４３３との間で管状体４１６に沿った第三湾曲部位５２０、および第三点４３３と閉鎖端４１４との間で管状体４１６に沿った第四湾曲部位５６０を備える。第一湾曲部位４２０は湾曲角４２２を有することによって、壁４１８の第一側４１１上の第一長側部４２４、および壁４１８の第二側４１３上の第一短側部４２６を画定する。第二湾曲部位４６０は湾曲角４６２を有することによって、壁４１８の第三側４１５上の第二長側部４６４、および壁４１８の第四側４１７上の第二短側部４６６を画定する。第三湾曲部位５２０は湾曲角５２２を有することによって、壁４１８の第二側４１３上の第三長側部５２４、および壁４１８の第一側４１１上の第三短側部５２６を画定する。図２４〜２７に示すように、陰茎４３０が矢印４１１の方向に開口端４１２を通って房部４１３に挿入されると、壁４１８の第一側４１１上の長側部４２４に沿って１つ以上の襞４２８が形成され、壁４１８の第三側４１５上の長側部４６４に沿って１つ以上の襞４６８が形成され、壁４１８の第二側４１３上の長側部５２４に沿って１つ以上の襞５２８が形成され、壁４１８の第四側４１７の長側部５６４に沿って１つ以上の襞５６８が形成されるように、かつ全ての襞が組み合わさって、開口端４１２から閉鎖端４１４へと、コンドーム全体の周囲にあり、かつそれに沿った連続ねじれ４９５を形成するように、第四湾曲部位５６０は湾曲角５６２を有することによって、壁４１８の第四側４１７上の第四長側部５６４、および壁４１８の第三側４１５上の第四短側部５６６を画定する。
【００２５】
図１８〜２１の「ジグザグ」の実施例および図２２〜２７の「ねじれ」の実施例のそれぞれの前記襞により、前記コンドームは、前記管状体の壁を現在入手可能なコンドームよりも薄く作る必要なしに、弾力性を持つことができる。前記コンドームが、壁厚みが現在入手可能なコンドームよりも２倍以上である管状体で作られても、「ジグザグ」または「ねじれ」形状が、使用中に前記コンドームが伸張および収縮することを確実にする。前記コンドームの全長に作用することに加えて、この伸縮性および収縮性はまた、前記コンドームの長さに沿った特定の湾曲点間（図２２〜２７の点４３１〜４３３など）に与えることもできる。
【００２６】
前記湾曲部位または領域の前記湾曲角は、あらゆる適切な角度にすることができるが、好ましくは２０度と１８０度との間である。本発明の予防的装置の様々な実施例において、前記管状体のサイズおよび材料の壁厚みは変わる場合がある。前記管状体部は好ましくは、例えばその開口端からその閉鎖端まで約１６０〜２００ミリメートルの長さを有することができる。前記管状体の外周は略均一であるが、所望の場合は変えることができる。本体部において、外周は好ましくは、例えば約９５〜１０５ミリメートルである。
【００２７】
本発明の特定の実施例において、１つ以上の刺激装置を、前記コンドームの前記管状体によって画定される前記房部内へと内側に向かって、それに沿って、またはそれと直角に延びる１つ以上のポーチの中に設けることができ、その刺激装置は、一方または両方のパートナーの１つ以上の性器に刺激を提供し、それによって性交中に感じられる快感を高める。様々な種類の刺激装置を、特定の方法で特定の性器を刺激するために、前記男性用コンドームの様々な位置で利用することができる。
【００２８】
本発明の特に好ましい実施例において、刺激器具が性交中にＧスポットと一致するように、刺激装置は本発明の前記コンドームの前記房部内へと内側に向かって延びるポーチの中に固定することができる。図２８〜３０に図示されるように、例えばコンドーム１０と同様に、本発明の男性用コンドーム１０１０は、開口端１０１２、閉鎖端１０１４、および開口端１０１２と閉鎖端１０１４との間で長手方向に延びて房部１０１３を画定する管状体部１０１６を有する。管状体１０１６は、内面１０１７および外面１０１９のある薄膜壁１０１８を有する。男性用コンドーム１０１０は、コンドーム１０、１００、２００、３００および４００に関して上述したように、１つ以上の湾曲部位で形成することができるが、コンドーム１０１０は、図面の明確さの目的で実質的に直線として図示されている。実際、刺激装置は、例えば直線壁状、球状、バネ作用、または曲線状を含む、本発明の様々な種類のコンドームのいずれにも組み込むことができる。
【００２９】
図２８を続けて参照して、管状体１０１６の壁１０１８内に形成される開口端１０７２、閉鎖端１０７４、および開口端１０７２と閉鎖端１０７４との間で長手方向に延びて、その中に刺激装置を受けるためのポーチ房部１０７３を画定するポーチ部１０７６を有する１つ以上のポーチ１０７０を提供することができる。管状ポーチ体１０７６は好ましくは、管状体１０１６の房部１０１３内へと延び、内面１０７７および外面１０７９のある薄膜壁１０７８を有する。管状ポーチ体１０７６は、例えば天然ゴム（ラテックスなど）、合成ゴム（シリコーンゴムまたはネオプレンなど）、ポリウレタン、およびその他の弾力のある物質（熱可塑性ポリオレフィンエラストマーなど）などのあらゆる適切な弾力のある不透過性膜材料から形成することができ、好ましくは管状体１０１６と同じ材料から形成される。
【００３０】
図２９に図示されるように、陰茎（陰茎１０３０など）が矢印１０１１の方向にコンドーム１０１０の房部１０１３に挿入されると、管状ポーチ体１０７６が陰茎の外部表面と壁１０１８の内部１０１７との間で定位置に保持されるように、管状ポーチ体１０７６は管状体１０１６の房部１０１３内へと延びる。本発明の特定の実施例において、好ましくは使用者が陰茎を房部１０１３に挿入した後、使用者は刺激装置（刺激装置１０８０など）を管状ポーチ体１０７６の房部１０７３に挿入することができる。したがって、コンドーム１０１０が使用される全期間に渡って、連続刺激を陰茎１０３０に提供するよう、刺激器具１０８０を房部１０７３内に位置付けることができる。
【００３１】
図２９および３０に示されるように、刺激器具１０８０は、コンドーム１０１０外部にある刺激ヘッド部１０８２、およびヘッド部１０８２から房部１０７３内へかつそれに沿って延びる、ヘッド部１０８２によって前記コンドームの様々な他の部分に提供される刺激を促進するための拡張フラップ１０８４を含むことができる。ヘッド部１０８２は性交中に陰核４との接触を提供しかつ刺激することができる一方で、拡張フラップ１０８４は膣８の内壁、好ましくはＧスポット６に刺激を提供することができる。さらに、拡張フラップ１０８４が房部１０７３内に位置付けられると、陰茎１０３０にさらに周囲の長さがあるように見えることによって、性交中に女性器により快感を提供できるように、上述のように管状ポーチ体１０７６は、陰茎の外部表面１０３０と壁１０１８の内部１０１７との間で定位置に保持することができる。
【００３２】
刺激器具１０７０は、上述のように、様々な手段によって房部１０７３内で保持することができる。一実施例において、例えば図２９および３０に示されるように、拡張フラップは、房部１０７３の開口部１０７２との確実なかみ合いを形成することによって、例えばコンドーム１０１０に関して刺激器具１０８０を定位置に係止することができる狭部１０８３を有することができる。
【００３３】
１つだけのポーチ１０７０が図２８〜３０の実施態様において示されているが、コンドーム１０１０は、一方または両方のパートナーの１つ以上の性器に刺激を提供するために様々な種類の刺激装置を保持することによって、性交中に感じられる快感を高めるために、管状体１０１６の壁１０１８の周囲の様々な位置にある開口部１０７２を有し、かつ房部１０１３内で様々な長さに延びる複数のポーチ１０７０を備えることができる。
【００３４】
本発明の前記男性用コンドームは、性交中に感じられる快感を高めるために、一方または両方のパートナーの１つ以上の性器に刺激を提供することができる１つ以上の刺激装置を備えることができる。刺激器具１０８０などの本発明の刺激器具は、性交中に刺激を性器に提供することができる電子装置（電池式バイブレータなど）または簡単な機械装置（突起のある軟質ゴム要素など）のいずれかにすることができる。
【００３５】
本発明の好ましい実施例において、刺激器具として前記男性用コンドームに備えられる電子装置は好ましくは、最小抵抗を伴う衝撃を提供する、動いている物体を通して使用者との物理的接触をするという原則に基づいて動作する。この種類の刺激器具は、一般的なバイブレータと異なり、モータ軸に取り付けられる偏心重量を持たないが、その代わり好ましくはロータに取り付けられるオフセット軸を持つ。前記軸は単数または複数のオフセットまたは非オフセット軸となり得て、１つ以上の軸に取り付けられるのは好ましくは、その軸に備え付けられると自由に動くことができる１つ以上のスリーブである。電源、前記モータ、およびその１つまたは複数の軸は好ましくは、外ケース内に収容され、１つ以上の開口部が好ましくは前記ケースに提供され、その刺激のために前記スリーブと性器との間で直接接触を可能にする。
【００３６】
この好ましい実施例において前記モータが作動中の時に、各スリーブはロータ軸の周りを回転することができ、および遠心力により、固定物体（刺激される性器など）と接触するまで外側に向かって変位することができる。前記固定物体にぶつかると、前記スリーブが前記物体との接触から解放されるまで、前記スリーブが変形することによって、前記スリーブがその軸の周りで摺動することによって、または前記軸が自ら摺動することによって、前記スリーブは好ましくは、前記物体とのその接触を低減せざるを得なくなることができる。いったん前記固定物体との接触から解放されると、前記スリーブは好ましくは、その軸の周りを回転しながらその外側変位へと戻ることができる。外側に変位されてから、前記固定物体との接触から解放され、その外側変位へと戻るという前記スリーブの動きによって、前記刺激器具は、最小抵抗を提供しながら前記軸の回転ごとに固定物体と接触することができる。この接触が最小抵抗を伴って行われると、前記刺激器具によって必要とされるエネルギーは非常に低く、前記固定物体との接触は非振動性である。
【００３７】
一実施例において、図３１Ａおよび３１Ｂに示されるように、本発明の刺激器具１１００は、ロータアセンブリ１１０３および電源１１０５と連結されるモータ１１０４をその中に収容する外ケース１１０１を有する。ロータアセンブリ１１０３は好ましくは、モータ１１０４の前記ロータと結合する二重オフセット軸固定具１１０６を含む。各オフセット軸１１０６は好ましくは、１つ以上の止め具１１０８によってその上で適切な位置に保持されることができる１つ以上の外側に向かって変位可能なスリーブ１１０７を有する。モータ１１０４が電源１１０５から電力を引き出し始めると、前記ロータは軸１１０６を回転し始めてスリーブ１１０７にその外側位置を占めさせることができ、それによって好ましくは、ケース１１０１内の開口部１１０２を通る制限されたアクセスを有し、その刺激のために性器との直接接触を提供する扇形構造（図３１Ｂなどを参照）を形成する。
【００３８】
モータ１１１１がスリーブ１１１５を収容するように延びる非オフセット軸１１１４によって、電源１１１２およびロータアセンブリ１１１３に接続されている、刺激器具１１１０のほかの実施例が図３２に示されている。スリーブ１１１５は中空にすることができ、かつ前記ロータが回転し始めるとケース１１１７内の開口部１１１６を通って外側に向かって動くことができるが、止め具１１１８によって軸１１１４から動くことを完全に妨げられることができる。また、軸１１１４の端はスロット１１１９から伸びることができ、それによって前記軸が回転すると、スリーブ１１１５は回転するが、刺激される解剖学的構造との衝撃があると、軸１１１４をスロット１１１９に沿って後退させる。
【００３９】
特定の好ましい実施例において、前記軸が回転すると柔軟パッドが回転するが、刺激される解剖学的構造との衝撃があると、曲がるかまたは抵抗に譲歩するように、前記スリーブは軸の一体部分である柔軟パッドとして提供される。例えばフォーム、ＰＶＣ、ゴム、ポリプロピレン、ポリウレタン、またはそのあらゆる組み合わせなど、あらゆる適切な材料を使用して、これらの柔軟パッドまたは上記の前記スリーブのうちいずれかを形成することができる。図３２に示されるブリッスル１１２０などの拡張を各スリーブ上に形成し、最小抵抗で刺激される解剖学的構造に衝撃を与えるための柔軟性を提供することができる。
【００４０】
本発明のその他の側面に従って、本発明の男性用コンドームは、図３３〜３５で説明されるような過程によって形成される。
【００４１】
前記過程は、取っ手１２２２、およびそこから外側に向かって延びる隆起１２２４を有する金型１２２０を含む。隆起１２２４は外面１２２６を有し、前記コンドームの内面および製作される付加的なポーチの内面に対応するように外面１２２６の上で寸法を取られる。
【００４２】
本発明を実践する際に、前記金型１２２０は、開口端付き容器１２２８の中への動きのための適切な運搬手段に接続されており、前記開口端付き容器１２２８は、先の実施例で説明したような組成の合成またはラテックス材料１２３０の物質をその中に有し、前記物質は、表面１２２６上に沈着し、その上に結果として生じる薄層沈着物を形成することができる、前記沈着物は、単一または二重浸漬過程（ｄｉｐ  ｐｒｏｃｅｓｓ）によって形成することができ、前記単一または二重浸漬過程は、金型１２２０を経路に沿って材料１２３０の物質の中へ向けて表面１２２６上に材料の層を形成することを含む。
【００４３】
実質的に真っ直ぐなコンドームの従来の連続浸漬および成形はいずれも、前記コンドームの閉鎖端の先端が材料の物質の中に入るように、材料１２３０の物質の中に前記金型１２２０を浸漬し、コーティング材を引き離し、それによって乱れを最小限にし、気泡がその中に閉じ込められることを防ぐことによって行われる。これには、本体を製造されるコンドームの必要な長さにまで引き伸ばすステップが続く。この浸漬法において、浸漬タンクごとに一度のみのコーティングが可能であり、したがってコーティングにおける不完全部分は、付加的なコーティング層を使用して第二浸漬タンクで修正しなければならない。
【００４４】
制御された角度の浸漬は好ましくは、非対称形状の予防的装置（らせん形コンドーム４００など）に対して行われるべきである。前記コーティング材が前記金型の縦軸の周りを動き、前記コーティング材の均一な広がりを得ることを確実にするよう、この種類のコンドームは角度のある進入（３０および４５度の間など）および制御された低速回転で浸漬する必要がある。ここで再び、前記コーティング材は一度のみのコーティングを確実にする。しかしながら、コーティングにおける不完全部分は、前記材料がゲル化する時まで前記金型の周囲の前記材料の流れによって部分的に修正することができる。
【００４５】
無視できるほどであるピンホールで材料のなおさらに均一なコーティングを得るために対称および非対称（らせん形など）両方の形状を浸漬する際、回転する金型の半分が常に前記コーティング材の中にあるように浸漬することが最良である。このことは、制御された回転によって、前記コーティング材が継続的に層をコーティングし、もしあればコーティングにおける不完全部分が以後の各回転およびコーティングによって修正されることを確実にする。これは全て、厚いコーティング層を加えることなく達成することができる。
【００４６】
結果として生じる沈着物は図３４に示される。前記沈着物は、前記開口端１２３２と金型取っ手１２２２の平面との間の相対運動によって前記金型１２２０から剥離され、それによって前記開口端１２３２は点線の位置につく。これによって、前記予防的装置の前記ポーチ部は、自ら伸縮して二重壁伸縮部分１２３８を形成する。それから前記二重壁伸縮部分１２３８は、返しベンド部１２４２を転動するためのローラー１２４０などの適切な手段によって係合される。図３５に示されるように、この巻かれたリング１２４８は前記予防的装置の末端閉鎖１２４６を露出する。前記リング１２４８の転動が前記予防的装置を前記型１２２０から取り外す。それから取り外された予防的装置はすぐに、様々な形態の包装および保管に対して操作することができる。
【００４７】
図２８〜３０を参照して、ポーチ１０７０の開口端１０７２は前記コンドームの開口端１０１２の近くに提供することができ、包装のために巻かれると刺激装置がすでにその中に固定できるように、ポーチ１０７０は前記コンドームの製造時にその中に刺激装置を備えることができる。好ましくは、例えば前記開口端が露出されることを防ぎ、かつ前記刺激装置がその房部１０７３から抜け落ちないよう、ポーチ１０７０の開口端１０７２がなお前記コンドームの巻かれたリング内にあるように、使用者は前記開口端から陰茎を挿入し、コンドームを陰茎に沿って好ましい長さに下ろす。
【００４８】
本発明のさらにもう１つの特に好ましい実施例において、刺激器具が性交中にＧスポットと協調するように、刺激装置は本発明の前記コンドームの前記房部に外部から沿って向かって延びるポーチの中に固定することができる。図３６〜３８に図示するように、例えばコンドーム１０と同様に、本発明の男性用コンドーム１３１０は、開口端１３１２、閉鎖端１３１４、および開口端１３１２と閉鎖端１３１４との間で長手方向に延びて房部１３１３を画定する管状体部１３１６を有する。管状体１３１６は、内面１３１７および外面１３１９のある薄膜壁１３１８を有する。男性用コンドーム１３１０は、コンドーム１０、１００、２００、３００および４００に関して上述したように、１つ以上の湾曲部位で形成することができるが、コンドーム１３１０は図面の明確さの目的で実質的に直線として図示されている。
【００４９】
図３６を続けて参照して、開口端１３７２と、閉鎖端１３７４と、開口端１３７２と閉鎖端１３７４との間で長手方向に延びて、その中に刺激装置を受けるためのポーチ房部１３７３を画定する管状ポーチ体１３７６とを有する１つ以上のポーチ１３７０を提供することができる。管状ポーチ体１３７６は好ましくは、管状体１３１６の外側でそれに沿って延び、内面１３７７および外面１３７９のある薄膜壁１３７８を有する。壁１３７８は、その共通域に沿って壁１３１８と共通の材料を共有する。管状ポーチ体１３７６は、例えば天然ゴム（ラテックスなど）、合成ゴム（シリコーンゴムまたはネオプレンなど）、ポリウレタン、およびその他の弾力のある物質（熱可塑性ポリオレフィンエラストマーなど）などのあらゆる適切な弾力のある不透過性膜材料から形成することができ、好ましくは管状体１３１６と同じ材料から形成される。
【００５０】
図３７に図示されるように、陰茎（陰茎１３３０など）が矢印１３１１の方向にコンドーム１３１０の房部１３１３に挿入される際管状ポーチ体１３７６が房部１３１３の外側にあり、刺激装置１３８０を製造時にコンドーム１３１０内に提供することができ、性交中に房部１３７３から抜けないように開口端１３７２は好ましくは前記巻かれたリング内に保持されるように、管状ポーチ体１３７６は管状体１３１６の房部１３１３と平行に延びる。したがって、刺激器具１３８０は、コンドーム１３１０が使用される全期間に渡って、房部１３７３内に位置付けることができる。
【００５１】
図３６〜３８に示されるように、房部１３７３および刺激器具１３８０は、前記刺激器具によって刺激されることを望む１つ以上の性器に依存して、長さ１３９３にわたりかつ長さ１３９５による前記コンドームの外周の一部または全ての周りで、前記コンドームの長さに沿って延びることができる。
【００５２】
よって、性交中に性器を刺激するための１つ以上の襞を形成することができる、少なくとも１つの湾曲部位を有する男性用コンドームが提供されていると見られる。当業者であれば、本発明は限定ではなく例示の目的のために提示されている説明済みの実施例以外によって実践することができ、本発明は下記の請求項によってのみ限定されることを十分理解するであろう。
【図面の簡単な説明】
【００５３】
【図１】図１は、本発明の実施例による男性用コンドームの部分断面図である。
【図２】図２は、図１の線ＩＩ−ＩＩから取られた、図１の前記コンドームの側面図である。
【図３】図３は本発明による、その中に陰茎が挿入されている図１および図２の前記コンドームの部分断面図である。
【図４】図４は、図３の線ＩＶ−ＩＶから取られた、図１〜３の前記コンドームの上面図である。
【図５】図５は、内側に向かって撫でられるポケットを示す、図１〜４の前記コンドームの部分断面図である。
【図６】図６は本発明による、図３と同様であるが女性の骨盤領域内での使用の第一段階における、図１〜５の前記コンドームの部分断面図である。
【図７】図７は本発明による、図３および６と同様であるが図６の骨盤領域内での使用の第二段階における、図１〜６の前記コンドームの部分断面図である。
【図８】図８は本発明による、図３、６および７と同様であるが図６および７の骨盤領域内での使用の第三段階における、図１〜７の前記コンドームの部分断面図である。
【図９】図９は本発明による、図３および６〜８と同様であるが図６〜８の骨盤領域内での使用の第四段階における、図１〜８の前記コンドームの部分断面図である。
【図１０】図１０は、本発明の第二実施例による男性用コンドームの部分断面図である。
【図１１】図１１は、図１０の線ＸＩ−ＸＩから取られた、図１０の前記コンドームの側面図である。
【図１２】図１２は本発明による、その中に陰茎が挿入されている図１０および１１の前記コンドームの部分断面図である。
【図１３】図１３は、図１２の線ＸＩＩＩ−ＸＩＩＩから取られた、図１０〜１２の前記コンドームの上面図である。
【図１４】図１４は、本発明の第三実施例による男性用コンドームの部分断面図である。
【図１５】図１５は、図１４の線ＸＶ−ＸＶから取られた、図１４の前記コンドームの側面図である。
【図１６】図１６は本発明による、その中に陰茎が挿入されている図１４および１５の前記コンドームの部分断面図である。
【図１７】図１７は、図１６の線ＸＶＩＩ−ＸＶＩＩから取られた、図１４〜１６の前記コンドームの上面図である。
【図１８】図１８は、本発明の第四実施例による男性用コンドームの部分断面図である。
【図１９】図１９は、図１８の線ＸＩＸ−ＸＩＸから取られた、図１８の前記コンドームの側面図である。
【図２０】図２０は本発明による、その中に陰茎が挿入されている図１８および１９の前記コンドームの部分断面図である。
【図２１】図２１は、図２０の線ＸＸＩ−ＸＸＩから取られた、図１８〜２０の前記コンドームの上面図である。
【図２２】図２２は、本発明の第五実施例による男性用コンドームの部分断面図である。
【図２３】図２３は、図２２の線ＸＸＩＩＩ−ＸＸＩＩＩから取られた、図２２の前記男性用コンドームの部分断面図である。
【図２４】図２４は本発明による、その中に陰茎が挿入されている図２２および２３の前記コンドームの、図２２と同様な部分断面図である。
【図２５】図２５は、図２４の線ＸＸＶ−ＸＸＶから取られた、図２２〜２４の前記コンドームの上面図である。
【図２６】図２６は本発明による、その中に陰茎が挿入されている図２２〜２５の前記コンドームの、図２３と同様な部分断面図である。
【図２７】図２７は、図２６の線ＸＸＶＩＩ−ＸＸＶＩＩから取られた、図２２〜２６の前記コンドームの上面図である。
【図２８】図２８は、本発明の第六実施例による男性用コンドームの部分断面図である。
【図２９】図２９は本発明による、図２８と同様であるが女性の骨盤領域内での使用の段階における、図２８の前記コンドームの部分断面図である。
【図３０】図３０は、図２９の線ＸＸＸ−ＸＸＸから取られた、図２８および２９の前記コンドームの部分断面図である。
【図３１Ａ】図３１Ａは、本発明による刺激器具の第一実施例の部分断面図である。
【図３１Ｂ】図３１Ｂは、図３１Ａの線ＸＸＸＩＢ−ＸＸＸＩＢから取られた、図３１Ａの前記刺激器具の部分断面図である。
【図３２】図３２は、本発明による刺激器具の第二実施例の、図３１Ａと同様な部分断面図である。
【図３３】図３３は本発明による、進行中の浸漬ステップを示す線図である。
【図３４】図３４は、図３３の過程における剥離ステップを示す線図である。
【図３５】図３５は、図３３および３４の過程における最終ステップを示す線図である。
【図３６】図３６は、本発明の第七実施例による男性用コンドームの部分断面図である。
【図３７】図３７は本発明による、その中に陰茎が挿入されている、図３６と同様な図３６の前記コンドームの部分断面図である。
【図３８】図３８は、図３７の線ＸＸＸＶＩＩＩ−ＸＸＸＶＩＩＩから取られた、図３６および３７の前記コンドームの部分断面図である。
【図１】
2008539906.tif 000003
【図２】
2008539906.tif 000004
【図３】
2008539906.tif 000005
【図４】
2008539906.tif 000006
【図５】
2008539906.tif 000007
【図６】
2008539906.tif 000008
【図７】
2008539906.tif 000009
【図８】
2008539906.tif 000010
【図９】
2008539906.tif 000011
【図１０】
2008539906.tif 000012
【図１１】
2008539906.tif 000013
【図１２】
2008539906.tif 000014
【図１３】
2008539906.tif 000015
【図１４】
2008539906.tif 000016
【図１５】
2008539906.tif 000017
【図１６】
2008539906.tif 000018
【図１７】
2008539906.tif 000019
【図１８】
2008539906.tif 000020
【図１９】
2008539906.tif 000021
【図２０】
2008539906.tif 000022
【図２１】
2008539906.tif 000023
【図２２】
2008539906.tif 000024
【図２３】
2008539906.tif 000025
【図２４】
2008539906.tif 000026
【図２５】
2008539906.tif 000027
【図２６】
2008539906.tif 000028
【図２７】
2008539906.tif 000029
【図２８】
2008539906.tif 000030
【図２９】
2008539906.tif 000031
【図３０】
2008539906.tif 000032
【図３１Ａ】
2008539906.tif 000033
【図３１Ｂ】
2008539906.tif 000034
【図３２】
2008539906.tif 000035
【図３３】
2008539906.tif 000036
【図３４】
2008539906.tif 000037
【図３５】
2008539906.tif 000038
【図３６】
2008539906.tif 000039
【図３７】
2008539906.tif 000040
【図３８】
2008539906.tif 000041
【国際調査報告】
2008539906.tif 000042
2008539906.tif 000043
2008539906.tif 000044
2008539906.tif 000045